(57)【要約】【課題】引戸の変形に影響されず、常に引戸を確実に施錠する防犯性に優れたオフセット型引戸用の引戸錠装置を提供する。【解決手段】引戸錠装置は、引戸Ｄの側縁に錠前Ａを組み込む一方、引戸が全閉位置にあるときに錠前の鎌出入口２６と鎌掛け穴５５ａが対向する壁Ｗ側に、鎌受けＢを取り付ける。施解錠時、操作具のサムタン１５を操作して回転伝達軸３０を回転すると、その回転を運動変換手段Ｒで直線往復運動に変換し、摺動体３５を、スライダ５０を介して第２ケース１２内で高さ方向上下に摺動して鎌部材４０を回動し、鎌部４０ａを引戸の開閉方向と直交する向きに鎌出入口から出没させて鎌受けの鎌掛け穴に対して係脱する構成にする【選択図】          図１
0003165169.tif 000002
【実用新案登録請求の範囲】
【請求項１】
壁に開けた開口部を開閉する引戸において、一部を引違い状に壁面に重ねて吊設するオフセット型引戸を施解錠する引戸錠装置であって、
前記引戸の側縁に錠前を組み込む一方、前記引戸が全閉位置にあるときに該引戸の側縁と向き合う前記壁面側に鎌掛け穴を開けた鎌受けを取り付け、
前記錠前は、
第１ケースと、該第１ケースに対して直交する横向きに屈曲した第２ケースとで形成し、該第２ケースの前板に鎌出入口を設ける錠ケースと、
該錠ケースの第１ケースを間に挟んで前記引戸の厚さ方向片面に組み付ける操作具と他面に組み付ける回転体とを一体回転可能に連結する回転伝達軸と、
該回転伝達軸を回転伝達可能に軸受穴に貫挿して枢支する軸受部材を備える一方、該軸受部材と前記第２ケースとの間にスライダを前記第１ケースの高さ方向上下に摺動可能に配設し、前記回転伝達軸が回転すると、その回転を直線往復運動に変換して前記スライダを前記第１ケース内の高さ方向上下に摺動させる運動変換手段と、
前記鎌出入口から先端の鎌部が突出した施錠位置と前記第２ケース内に引っ込んだ解錠位置とに回動可能に、該第２ケースの対向側板間に横架した鎌軸で枢支する鎌部材と、
凹凸の嵌め合いで前記スライダと連結すると共に、前記鎌軸を間に挟んだ前記鎌部と反対の側で前記鎌部材に凹凸の嵌め合いで連結して前記第２ケース内の高さ方向上下に摺動可能に配設する摺動体とを備え、
前記操作具を操作して前記回転伝達軸を回転すると、その回転を前記運動変換手段で直線往復運動に変換し、前記摺動体を、前記スライダを介して前記第２ケース内で高さ方向上下に摺動して前記鎌部材を回動し、該鎌部材の鎌部を前記引戸の開閉方向と直交する向きに前記鎌出入口から出没させて該鎌出入口と対向する前記鎌受けの鎌掛け穴に対して係脱してなることを特徴とする、引戸錠装置。
【考案の詳細な説明】
【技術分野】
【０００１】
本考案は、アウトセット引戸等、一部を引違い状に壁面に重ねて吊設するオフセット型引戸を施解錠するのに好適な引戸錠装置に関する。
【背景技術】
【０００２】
最近、マンションなどで室内をリフォームする場合、例えば開口部に既設の開き戸を、比較的お年寄りや身障者等に優しいため、引戸に付け替えるよう望まれることが多くなっている。その場合は、開き戸を取り外した後、そのまま開口部の出入方向片側に壁面に沿ってアウトセット引戸を後付けしている。
【０００３】
従来、アウトセット引戸には、付け替え場所がトイレの開口部など閉止した後に施錠する必要がある箇所の場合は、戸先側の引手近くに錠前が組み込まれている。一方、壁面には、開口部の戸先側開口縁に、錠前の設置高さ位置に合わせて、錠前の受け具をねじ止めしている。そして、これら錠前と受け具とで引戸錠装置を構成し、この引戸錠装置で引戸を施解錠している。
【０００４】
従来、この種の引戸錠装置では、通常、錠前として、いわゆる鎌錠が使用される一方、受け具には、鎌錠の鎌が係脱する縦長な鎌受けを設け、引戸の戸先側木口面に対向して設けられている。そして、引戸で開口部を閉止したとき、錠前の、例えばサムタンを施錠方向に回して鎌を引戸の閉方向へ倒すと、その鎌が鎌受けの鎌掛け穴に係合し、引戸が施錠される構成にしている。
【０００５】
しかし、上述した従来の引戸錠装置では、引戸を全閉位置で施錠してロックしたときも、大きな鎌掛け穴が正面に開いた鎌受けが外部に露出したままとなり、見栄えが悪く、たとえリフォームしても引戸周りの美的外観が依然として向上しないという問題があった。
【０００６】
そこで、従来の引戸錠装置の中には、全閉位置にある引戸を施錠するとき、錠前のサムタンを施錠方向に回動すると、ロック棒が引戸の開閉方向と直交する向きに突出し、錠前と対向する壁面側にある凹状の錠受けに係合させて引戸をロックし、これにより、錠受けを引戸の側縁で覆って外部に露出させずに引戸を施錠する構造にしたものがある（特許文献１参照）。
【先行技術文献】
【特許文献】
【０００７】
【特許文献１】特開２００５−１６３２９４号公報
【考案の概要】
【考案が解決しようとする課題】
【０００８】
しかし、従来のロック棒を用いた引戸錠装置では、経時、引戸が反ったり曲がったりして変形すると、全閉位置にある引戸を施錠するとき、錠前のサムタンを回してロック棒を開閉方向と直交する向きに突出させても、ロック棒が壁面側の錠受けに係合しなかったり係合しても簡単に外れたりすることがあり、その結果、引戸を確実に施錠してロックすることができず、防犯性に欠けるという課題があった。
【０００９】
そこで、本考案の目的は、引戸の変形に影響されず、常に引戸を確実に施錠する防犯性に優れたオフセット型引戸用の引戸錠装置を提供することにある。
【課題を解決するための手段】
【００１０】
上記した考案の目的を達成すべく、請求項１に記載の考案は、たとえば以下に示す図示実施の形態のとおり、壁Ｗに開けた開口部Ｓを開閉する引戸Ｄにおいて、一部を引違い状に壁面に重ねて吊設するオフセット型引戸を施解錠する引戸錠装置であって、前記引戸Ｄの側縁に錠前Ａを組み込む一方、前記引戸Ｄが全閉位置にあるときに該引戸の側縁と向き合う前記壁面側に鎌掛け穴５５ａを開けた鎌受けＢを取り付け、前記錠前Ａは、第１ケース１１と、該第１ケース１１に対して直交する横向きに屈曲した第２ケース１２とで形成し、該第２ケース１２の前板２５に鎌出入口２６を設ける錠ケース１０と、該錠ケース１０の第１ケース１１を間に挟んで前記引戸Ｄの厚さ方向片面に組み付けるサムタン１５のような操作具と他面に組み付ける非常開錠器２０のような回転体とを一体回転可能に連結する回転伝達軸３０と、該回転伝達軸３０を回転伝達可能に軸受穴Ｐに貫挿して枢支するサムタンハブ４５のような軸受部材を備える一方、該軸受部材と前記第２ケース１２との間にスライダ５０を前記第１ケース１１の高さ方向上下に摺動可能に配設し、前記回転伝達軸３０が回転すると、その回転を直線往復運動に変換して前記スライダ５０を前記第１ケース１１内の高さ方向上下に摺動させる運動変換手段Ｒと、前記鎌出入口２６から先端の鎌部４０ａが突出した施錠位置と前記第２ケース１２内に引っ込んだ解錠位置とに回動可能に、該第２ケース１２の対向側板２３ａ・２４ａ間に横架した鎌軸４１で枢支する鎌部材４０と、凹凸の嵌め合いで前記スライダ５０と連結すると共に、前記鎌軸４１を間に挟んだ前記鎌部４０ａと反対の側で前記鎌部材４０に凹凸の嵌め合いで連結して前記第２ケース１２内の高さ方向上下に摺動可能に配設する摺動体３５とを備え、前記操作具を操作して前記回転伝達軸３０を回転すると、その回転を前記運動変換手段Ｒで直線往復運動に変換し、前記摺動体３５を、前記スライダ５０を介して前記第２ケース１２内で高さ方向上下に摺動して前記鎌部材４０を回動し、該鎌部材４０の鎌部４０ａを前記引戸Ｄの開閉方向と直交する向きに前記鎌出入口２６から出没させて該鎌出入口２６と対向する前記鎌受けＢの鎌掛け穴５５ａに対して係脱してなることを特徴とする。
【考案の効果】
【００１１】
従って、本考案の引戸錠装置よれば、開口部を閉じた全閉位置にある引戸を施錠するとき、錠前の操作具を施錠方向に回動すると、鎌部材の鎌部が開閉方向と直交する向きに突出し、鎌出入口と対向する壁側の鎌受けの鎌掛け穴に掛け止められて引戸をロックする構成であるため、引戸の側縁で鎌受けを覆って外部に露出させずに引戸を施錠することが可能になると共に、それだけではなく、経時、引戸が反ったり曲がったりして変形していても、施錠時は、掛け止めた鎌部が鎌掛け穴から外れることなく、常に引戸を確実に施錠して防犯性を高めることができる。
【図面の簡単な説明】
【００１２】
【図１】（Ａ）本考案による引戸錠装置の構造を施錠状態において示す縦断面図、（Ｂ）錠前の内部構造を錠ケースの蓋板を開けて施錠状態で示す正面図である。
【図２】引戸錠装置を適用した引戸構造体を示す斜視図である。
【図３】錠前の錠本体を示す分解斜視図である。
【図４】引戸の戸先側の構造と錠前の部品構造を示す分解斜視図である。
【図５】図４を反対側から見て示す同様な分解斜視図である。
【図６】錠前の正面図である。
【図７】錠前の背面図である。
【図８】（Ａ）引戸錠装置の構造を解錠状態において示す縦断面図、（Ｂ）錠前の内部構造を錠ケースの蓋板を開けて解錠状態で示す正面図である。
【図９】（Ａ）錠前が施錠状態にある引戸錠装置を示す平面図、（Ｂ）錠前が解錠状態にある引戸錠装置を示す平面図である。
【考案を実施するための形態】
【００１３】
以下、図面を参照しつつ、本考案の実施の形態について説明する。
【００１４】
図１は、本考案の一例である引戸錠装置の構造を示し、図２は、その引戸錠装置を適用した引戸構造体を示す。引戸構造体は、壁Ｗにあけた開口部Ｓの天井側に引戸レールＬを懸架し、引戸レールＬに戸車を係合させて引戸Ｄを開閉方向Ｘに移動自在に吊設した構造になっている。引戸レールＬは、戸先側と戸尻側端部に戸当りを内設して開閉ストロークを規制している。引戸Ｄは、木製パネル状で、開口部Ｓを閉めて全閉位置にあるとき、図２中鎖線で示すとおり、戸先側の側縁が壁Ｗの端縁を越え、一部壁面と引違い状に重なるように吊設したオフセット型引戸である。この引戸Ｄには、その戸先側の側縁に引手ｈが付設されている。
【００１５】
図示例の引戸錠装置は、図１に示すように、錠前Ａおよび鎌受けＢとからなる。錠前Ａは、錠ケース１０と、錠ケース１０に組み付ける操作具のサムタン１５および回転体の非常開錠器２０と、錠ケース１０内に組み込む運動変換手段Ｒと摺動体３５および鎌部材４０を備えた構成になっている。
【００１６】
錠ケース１０は、金属製で、図３、図４および図５に示すように、第１ケース１１と第２ケース１２とからなる。第１ケース１１は、片側を開放した浅底なケース本体１３に蓋板１４を被せて薄箱状に組み立てる。ケース本体１３は、図中左右に横長な側板部１３ａの幅方向一側をＬ板状に曲げ延ばして取付板部１３ｂを形成し、図中上下の高さ方向両側を直角に曲げ起して向い合わせに上板部１３ｃと下板部１３ｄを形成している。側板部１３ａには、取付板部１３ｂと反対の幅方向他側に円形のボス穴１６を設ける一方、取付板部１３ｂ寄りに高さ方向に細長い２本のガイド穴１７・１８を平行に設けると共に、ガイド穴１８とボス穴１６間のガイド穴１８寄りに軸穴１９を設けている。軸穴１９は、側板部１３ａの高さ方向中心を通る中心線上にボス穴１６と並べて設けている。なお、ボス穴１６の下側周縁にはピン穴２１を設けている。他方、蓋板１４は、図中左右に横長な側板部１４ａの長さ方向一側を直角に曲げ起して取付板部１４ｂを形成し、側板部１４ａに、ケース本体１３の側板部１３ａと対応するボス穴１６、ガイド穴１７・１８、軸穴１９、ピン穴２１を設けてなる。
【００１７】
第２ケース１２は、片側を開放した浅底なケース本体２３に蓋板２４を被せて細長い矩形の箱状に組み立てる。ケース本体２３は、図中左右の幅方向一側に図中上下に縦長な細長い２枚のプレートを重ねて形成する前板２５を備える。前板２５には、図中上下の高さ方向下側に鎌出入口２６を設けてなる。側板部２３ａには、上板部２３ｂ寄りの高さ方向上側に縦長な逃げ穴２７に設けると共に、逃げ穴２７の下方にガイド穴２８を直列に並べて設け、ガイド穴２８の前板２５側に鎌軸穴２９を設ける。他方、蓋板２４は、ケース本体２３の側板部２３ａに合わせて縦長な略矩形な板材で、ケース本体２３の側板部２３ａと対応する逃げ穴２７、ガイド穴２８、鎌軸穴２９を設けてなる。
【００１８】
サムタン１５は、金属製で、図４および図５に示すように、回転伝達軸３０の基端にサムタン摘み３１を固着してＴ形をなし、回転伝達軸３０をサムタン座３２の回転中心穴に貫通させて回転可能に連結した構造になっている。回転伝達軸３０は、回転伝達可能に断面矩形な角軸で形成し、サムタン摘み３１は、中央が細く両端に向うに従い太く摘みやすい形状をなし、サムタン座３２は、丸くて底浅なタライ状で開口部周縁に環状の鍔部を延ばし、底板部の中心に回転中心穴を穿設し、回転中心穴の両側に一対のねじ穴３２ａを設けてなる。非常開錠器２０は、金属製の固定円板２０ａと回転円板２０ｂを重ね合わせ、回転円板２０ｂを、軸受部２０ｃを中心として固定円板２０ａに回転可能に連結している。固定円板２０ａには、裏面にサムタ座３２のねじ穴３２ａに対応させて内周に雌ねじを螺設した一対のねじ管２０ｄを立設している。回転円板２０ｂには、中心に非常開錠操作用の細長い凹み３３が設けられている。軸受部２０ｃは、回転伝達軸３０に合わせて四角い嵌合穴３４の開いた短管状に突設している。
【００１９】
運動変換手段Ｒは、図３に示すように、軸受部材のサムタンハブ４５と、リンク４６と、クランクアーム４７と、スライダ５０を連結して構成する。
【００２０】
サムタンハブ４５は、瓢箪形板状をなすハブ本体４５ａの先端に連結突起４５ｂを板厚方向片側に向けて突設する一方、基端に円筒突部４５ｃを板厚方向両側に突設している。円筒突部４５ｃは、外形が第１ケース１１のボス穴１６に嵌合可能な短い円筒状をなし、その短筒部の周縁から径方向外向きにばね掛け凸部４５ｄを突設している。円筒突部４５ｃには、回転伝達軸３０に合わせて回転伝達が可能な断面四角形に穿設した軸受穴Ｐが貫通している。リンク４６は、細長い板片の両端にピン穴４６ａ・４６ｂを設けてなる。クランクアーム４７は、く字形板状のアーム本体４７ａの回転中心に支軸４７ｂを厚さ方向に軸着し、一端側に連結突起４７ｃを板厚方向片側に向けて突設する一方、他端側に支軸４７ｂに向けて凹状に切り欠いた係止凹部４７ｄを設けてなる。
【００２１】
スライダ５０は、矩形な金属板をコ形に折り曲げてなるスライダ本体４８と、スライダ本体４８の中間曲片部４８ａに突設した連動軸４９からなる。スライダ本体４８は、対向側片部４８ｂ・４８ｂにガイド軸ｍ・ｎを貫挿して図中上下の高さ方向に並べて軸着し、対向側片部４８ｂ・４８ｂの端縁寄りに互いに連通するピン穴４８ｃを設けている。ガイド軸ｍ・ｎは、両端が対向側片部４８ｂ・４８ｂから突出している。
【００２２】
そこで、運動変換手段Ｒのスライダ５０は、第１ケース１１のケース本体１３内において、連動軸４９を取付板部１３ｂ側に向けた状態でガイド軸ｍ・ｎの一端をガイド穴１７に係合し、ガイド軸ｘをピン穴４８ｃに貫挿してガイド軸ｘの一端をガイド穴１８に係合する。一方のサムタンハブ４５は、円筒突部４５ｃの一側をボス穴１６に嵌合し、ばね掛けピン２２の一端をピン穴２１に嵌着する。クランクアーム４７は、支軸４７ｂの一端を軸穴１９に係合し、他端の係止凹部４７ｄをスライダ５０のガイド軸ｘに係止する。リンク４０は、一端側のピン穴４６ａにサムタンハブ４５の連結突起４５ｂを係合する一方、他端側のピン穴４６ｂにクランクアーム４７の連結突起４７ｃを係合する。
【００２３】
それから、ケース本体１１に対して蓋板１４を被せて挟着し、サムタンハブ４５の他側の円筒突部４５ｃを蓋板１４側のボス穴１６に嵌合してサムタンハブ４５を回転自在に枢支し、ばね掛けピン２２の他端をピン穴２１に嵌着する。クランクアーム４７は、支軸４７ｂの他端を蓋板１４側の軸穴１９に係合して回転自在に軸支される。スライダ５０は、ガイド軸ｍ・ｎの他端を蓋板１４側のガイド穴１７に係合すると共にガイド軸ｘの他端をガイド穴１８に係合し、第１ケース１１内に高さ方向上下に直線摺動可能に配置される。そして、運動変換手段Ｒが第１ケース１１内の側板部１３ａ・１４ａ間にサムタンハブ４５とリンク４６とクランクアーム４７およびスライダ５０を連結した状態で架設し、以って、第１錠ユニットＣ１を組み立ててなる。
【００２４】
なお、第１錠ユニットＣ１には、第１ケース１１とサムタンハブ４５との間にサムタンハブ４５の回動角度位置だ、後述する鎌部材４０の施錠位置と解錠位置に対応するように保持するための位置決め用付勢ばね５１が配設されている。そのため、付勢ばね５１は、ねじりコイルばねで、一端をサムタンハブ４５のばね掛け凸部４５ｄに掛け止める一方、他端をばね掛けピン２２に掛け止めている。
【００２５】
摺動体３５は、ガイド部材５３とガイド軸ｙとからなる。ガイド部材５３は、略Ｔ形板状をなす一対の金属製ガイド板３６・３６を複数の取付ピン３７で間隔をあけて連結して組み立てて、ガイド板３６・３６には、それぞれ互いに連通する上部位置に長穴３８を設ける一方、下部位置にピン穴ｗを設けている。ガイド軸ｙは、ガイド板３６・３６間の間隔より長い細軸からなる。
【００２６】
鎌部材４０は、回転中心に鎌軸４１を厚さ方向に軸着し、先端側にベルクランク状に突出する鎌部４０ａを突設する一方、基端側に鎌軸４１に向けて凹状に切り欠いて係止凹部４０ｂを設けてなる。
【００２７】
そこで、摺動体３５は、第２ケース１２のケース本体２３内において、長穴３８とピン穴ｗをそれぞれ逃げ穴２７とガイド穴２８に合わせて、ガイド軸ｙをピン穴ｗに貫挿してガイド軸ｙの一端をガイド穴２８に係合する。一方、鎌部材４０は、鎌軸４１の一端を鎌軸穴２９に係合し、他端の係止凹部４０ｂを摺動体３５のガイド軸ｙに係止する。それから、ケース本体２３に対して蓋板２４を被せて挟着し、摺動体３５を、鎌部材４０と連結した状態で第２ケース１１内で高さ方向上下に直線摺動可能に側板部２３ａ・２４ａ間に配設し、以って、第２錠ユニットＣ２を組み立ててなる。
【００２８】
第１錠ユニットＣ１と第２錠ユニットＣ２は、スライダ５０の連動軸４９を逃げ穴２７を通して摺動体３５の長穴３８に係合させてスライダ５０と摺動体３５を連結し、第１ケース１１の取付板部１３ｂ・１４ｂをそれぞれ第２ケース１２の後板部２３ｃ・側板部２３ａにねじ止めする。以って、図４および図５に示すように、第１錠ユニットＣ１に対して第２前ユニットＣ２が直交する横向きに突出した形態の錠本体Ｃを組み立ててなる。錠本体Ｃは、第１錠ユニットＣ１を間に挟んだ片側にサムタン１５を組み付ける一方、そのサムタン１５と回転伝達軸３０で連結して他側に非常開錠器２０を組み付けると、引戸錠装置の錠前Ａが組み立てられる。
【００２９】
一方、引戸錠装置の鎌受けＢは、図１（Ａ）に示すように、取付座５４と掛止プレート５５とを備える。取付座５４は、錠前Ａの前板２５に合わせて細長い取付板５４ａの中央部を矩形箱状に凹ませて鎌部材４０の鎌部４０ａを受け入れる鎌受箱部５４ｂを形成する。掛止プレート５５は、錠前Ａの前板２５に合わせて細長い金属板で、中央部に鎌部材４０の鎌部４０ａを掛け止める矩形の鎌掛け穴５５ａを設けてなる。
【００３０】
他方、引戸錠装置において、錠前Ａを組み込む引戸Ｄ側には、図１に示す壁Ｗと向き合う内側板面ｄ１の戸先側側縁に、図４および図５に示す如く、予め錠本体Ｃの外形状に合わせて略Ｔ型の組込み用穴５９を穿設し、組込用穴５９の戸尻側には、内外両板面ｄ１・ｄ２にサムタン１５と非常開錠器２０の呼込み用穴６０・６１を穿設している。他方、壁Ｗ側には、引戸Ｄの戸先側側縁に組み込む錠前Ａの鎌出入口２６と対向する高さ位置に、鎌受けＢの取付凹部を設ける。
【００３１】
そこで、引戸錠装置において、錠本体Ｃは、組込み用穴５９から第１錠ユニットＣ１を引戸Ｄ内に差し込んで第２錠ユニットＣ２の前板２５を壁Ｗ側に向く内側板面ｄ１に止めねじ６５で固定し、鎌出入口２６を壁Ｗ側に向け外部に臨ませた状態で、引戸Ｄの戸先側側縁に内設する。一方、サムタン１５は、回転伝達軸３０を呼込み用穴６０から入れてサムタンハブ４５の軸受穴Ｐに貫挿し、サムタン座３２を呼込み用穴６０に嵌め付け、図６に示すように、錠本体Ｃの第１錠ユニットＣ１に装着する。なお、第１錠ユニットＣ１には、目隠しプレート７０を被せている。他方、非常開錠器２０は、固定円板２０ａを呼込み用穴６１に嵌め付けて軸受部２０ｃの嵌合穴３４に回転伝達軸３０の先端を嵌合する。それから、サムタン座３２のねじ穴３２ａに長ねじ６６を通して非常開錠器２０のねじ管２０ｄにねじ込み、サムタン座３２と固定円板２０ａを内外両板面ｄ１・ｄ２に固定する一方、サムタン摘み３１と回転円板２０ｂを一体回転可能に連結してサムタン１５と非常開錠器２０を、図７に示すように、錠本体Ｃの第１錠ユニットＣ２に装着する。以って、錠前Ａを組み立てて引戸Ｄの戸先側側縁に組み込む。
【００３２】
そこで、錠前Ａは、サムタン１５のサムタン摘み３１を、一側の解錠方向に回し、図８に示す回転伝達軸３０を介して運動変換手段Ｒのサムタンハブ４５を付勢ばね５１に抗して一体に回動し、リンク４６を回転伝達軸３０側に引き寄せてクランクアーム４７を支軸４７ｂを中心として図８中時計方向に回動する。すると、押し上がるクランクアーム４７の他端の係止凹部４７ｄに係止したガイド軸ｘを介してスライダ５０が、ガイド軸ｍ・ｎ・ｘの両端が係合したガイド穴１７・１８の案内で第１ケース１１内を高さ方向上向きに直線摺動すると同時に、スライダ５０と連動軸４９で連結した摺動体３５が、ガイド軸ｙの両端の係合したガイド穴２８の案内で第２ケース１２内を高さ方向上向きに直線摺動する。すると、摺動体３５のガイド軸ｙが係合した係止凹部４０ｂを有する鎌部材４０の基端側を押し上げて鎌部材４０を図８中反時計方向に回動し、先端の鎌部４０ａを鎌出入口２６から第２ケース１２内の解錠位置に引っ込める。この鎌部材４０の解錠姿勢は付勢ばね５１で付勢して保持する。
【００３３】
引戸錠装置において、鎌受けＢは、壁Ｗ側の取付凹部７５に鎌受箱部５４ｂを嵌め込んで取付座５４を設置してから、取付板５４ａに掛止プレート５５を重ね合わせて壁面に固定し、鎌掛け穴５５ａを引戸Ｄ側に向けて組み付けてなる。
【００３４】
さて、上述した引戸構造体において、閉時、引戸Ｄは、その戸先側の側縁が戸当りに当接し、壁Ｗと一部重なる所定の全閉位置で停止する。そのとき、引戸錠装置では、図８（Ａ）および図９（Ｂ）に示すように、錠前Ａにおける鎌部材４０の鎌部４０ａが鎌出入口２６を通して鎌受けＢの鎌掛け穴５５ａと対向して引戸Ｄを施解錠する位置に位置決められる。
【００３５】
そこで、図示引戸錠装置を作動して引戸Ｄを施錠する場合は、引戸Ｄの壁Ｗ側の内側からサムタン１５のサムタン摘み３１を摘んで施錠方向に回し、図８（Ｂ）に示すように、回転伝達軸３０を介して運動変換手段Ｒのサムタンハブ４５を付勢ばね５１に抗して一体に回動し、リンク４６をスライダ５０側に押動してクランクアーム４７を支軸４７ｂを中心として図８中反時計方向に回動する。すると、押し下がるクランクアーム４７の他端の係止凹部４７ｄに係止したガイド軸ｘを介してスライダ５０が、ガイド軸ｍ・ｎ・ｘの両端が係合したガイド穴１７・１８の案内で第１ケース１１内を高さ方向下向きに直線摺動すると同時に、スライダ５０と連動軸４９で連結した摺動体３５が、ガイド軸ｙの両端の係合したガイド穴２８の案内で第２ケース１２内を高さ方向下向きに直線摺動する。すると、摺動体３５のガイド軸ｙが係合した係止凹部４０ｂを有する鎌部材４０の基端側を押し下げて鎌部材４０を図８中時計方向に回動して施錠姿勢とし、先端の鎌部４０ａを鎌出入口２６から突出させて鎌部４０ａを鎌受けＢの鎌掛け穴５５ａに掛け止め、図１に示すように引戸Ｄを施錠する。
【００３６】
従って、引戸錠装置では、開口部Ｓを閉じた全閉位置にある引戸Ｄを施錠するとき、錠前Ａのサムタン摘み３１を施錠方向に回動すると、鎌部材４０の鎌部４０ａが開閉方向と直交する向きに突出し、鎌出入口２６と対向する壁Ｗ側の鎌受けＢの鎌掛け穴５５ａに掛け止められて引戸Ｄをロックする構成であるため、鎌受けＢを引戸Ｄの側縁で覆って外部に露出させずに引戸Ｄをロックすることが可能になると共に、それだけではなく、経時、引戸Ｄが反ったり曲がったりして変形しても、掛け止めた鎌部４０ａが鎌掛け穴５５ａから外れることなく、常に引戸Ｄを確実に施錠して防犯性を高めることができる。
【００３７】
一方、引戸錠装置において、引戸Ｄが施錠状態にある場合に、非常時、例えば異常事態を発生しためにロックを解除して外側から引戸Ｄを開けたいときは、コイン等を、図７に示す非常開錠器２０の非常解錠操作用凹み３３に係止して回転円板２０ｂを解錠方向に回動する。すると、図８および図９に示すように、回転伝達軸３０が付勢ばね５１に抗して一体に回転し、その回転を運動変換手段Ｒにより直線運動に変換してスライダ５０を第１ケース１１内で高さ方向上向きに直線的に摺動すると共に摺動体３５も第２ケース１２内で高さ方向上向きに直線的に摺動して鎌部材４０を図中反時計方向に回動し、これにより、鎌部材４０の鎌部４０ａが鎌受けＢの鎌掛け穴５５ａから外れて第２ケース１２内の解錠位置に引っ込み、引戸Ｄを非常解錠する。
【００３８】
ところで、上述した引戸錠装置は、錠前Ａを引戸Ｄの戸先側側縁に組み込んだ構成であったが、反対に引戸Ｄの戸尻側側縁に組み込んで引戸Ｄを施解錠する構成にすることもできる。図示例では、引戸錠装置を片開き式の引戸Ｄに適用したが、両開き式や引き違い式の引戸に組み込んで使用することもできる。
【符号の説明】
【００３９】
Ａ          錠前
Ｂ          鎌受け
Ｃ          錠本体
Ｄ          引戸
Ｒ          運動変換手段
Ｓ          開口部
Ｗ          壁
１０        錠ケース
１１        第１ケース
１２        第２ケース
１５        サムタン（操作具）
２０        非常開錠器（回転体）
３０        回転伝達軸
３５        摺動体
４０        鎌部材
４０ａ      鎌部
４５        サムタンハブ（軸受部材）
５０        スライダ
５５ａ      鎌掛け穴
【図１】
0003165169.tif 000003
【図２】
0003165169.tif 000004
【図３】
0003165169.tif 000005
【図４】
0003165169.tif 000006
【図５】
0003165169.tif 000007
【図６】
0003165169.tif 000008
【図７】
0003165169.tif 000009
【図８】
0003165169.tif 000010
【図９】
0003165169.tif 000011